(57)【要約】【課題】被撮影者が横を向いても、撮影手段で撮影した画像を確認できる。【解決手段】撮影システムは筐体２０と、前記筐体２０内面のうち一定の幅をもって垂直方向に延びる第１領域内２３Ａに設けられた撮影手段１２と、前記筐体２０内面の前記第１領域２３Ａ内のうち、撮影手段の位置と異なる位置に設けられた第１モニタ１５と、を備えている。前記筐体２０内面の前記第１領域２３Ａ外の第２領域２３Ｂに前記撮影手段１２で撮影している画像を確認のため表示可能な第２モニタ３５Ａ、３５Ｂが設けられている。【選択図】図３
2018163316.tif 000002
【特許請求の範囲】
【請求項１】
囲い体と、
前記囲い体内面のうち一定の幅をもって垂直方向に延びる第１領域内に設けられた撮影手段と、
前記囲い体内面の前記第１領域内に設けられた第１モニタと、
前記囲い体内面の前記第１領域外の第２領域に設けられ、前記撮影手段で撮影している画像を確認のため表示可能な第２モニタとを備えた、撮影システム。
【請求項２】
前記第２モニタは複数台設置されている、請求項１記載の撮影システム。
【請求項３】
前記第２モニタは可動自在となっている、請求項１または２記載の撮影システム。
【請求項４】
前記第２モニタは、回動可能となっている、請求項１乃至３いずれか記載の撮影システム。
【請求項５】
前記第２モニタは操作パネルとして機能する、請求項１乃至４のいずれか記載の撮影システム。
【請求項６】
操作パネルを更に備え、
前記第２モニタは、複数のテンプレートから前記操作パネルにより選択された所望のテンプレートとともに、前記画像を表示し、
前記操作パネルは選択されたテンプレートに基づいて、確認すべき第２モニタを案内する、請求項２記載の撮影システム。
【請求項７】
前記撮影手段は連続する複数の画像ショットを作成することができ、
前記第２モニタは、複数のテンプレートから選択された所望のテンプレートとともに前記画像を表示し、
前記操作パネルは各ショット毎に確認すべき第２モニタを案内する、請求項２記載の撮影システム。
【請求項８】
前記第１モニタは、前記撮影手段で撮影している画像を確認のため表示するとともに、操作パネルとして機能する、請求項１記載の撮影システム。
【発明の詳細な説明】
【技術分野】
【０００１】
本発明は、被撮影者を撮影する撮影システムに関する。
【背景技術】
【０００２】
従来、被撮影者を撮影する撮影システムが知られている。このような撮影システムは被撮影者が入る筐体を有し、この筐体内に撮影手段（カメラ）と投光部とが設置されている。
【０００３】
また筐体内にはカメラの下方に、カメラで撮影している画像を確認するためのモニタが設置され、被撮影者はこのモニタを確認しながらカメラにより撮影して画像ショットを生成する。この場合、モニタは撮影している画像を確認するための機能と、操作パネルとしての機能も併せもつ。
【０００４】
しかしながら、従来の撮影システムでは、モニタはカメラの下方に位置しているため、被撮影がカメラに正対している場合は、モニタをみながらカメラで撮影している画像を確認することができるが、被撮影者が横を向いたり、カメラから視線を外す姿勢をとった場合、モニタをみながらカメラで撮影している画像を確認することはむずかしい。
【先行技術文献】
【特許文献】
【０００５】
【特許文献１】特開２００３−２７０７１４号公報
【特許文献２】特開平１１−１９１８５６号公報
【発明の概要】
【発明が解決しようとする課題】
【０００６】
本発明はこのような点を考慮してなされたものであり、被撮影者が横を向いたり、撮影手段から視線を外すような姿勢をとった場合でも、撮影手段で撮影している画像を容易に確認することができる撮影システムを提供することを目的とする。
【課題を解決するための手段】
【０００７】
本発明は、囲い体と、前記囲い体内面のうち一定の幅をもって垂直方向に延びる第１領域内に設けられた撮影手段と、前記囲い体内面の前記第１領域内に設けられた第１モニタと、前記囲い体内面の前記第１領域外の第２領域に設けられ、前記撮影手段で撮影している画像を確認のため表示可能な第２モニタとを備えた、撮影システムである。
【０００８】
本発明は、前記第２モニタは複数台設置されている、撮影システムである。
【０００９】
本発明は、前記第２モニタは可動自在となっている、撮影システムである。
【００１０】
本発明は、前記第２モニタは回動可能となっている、撮影システムである。
【００１１】
本発明は、前記第２モニタは操作パネルとして機能する、撮影システムである。
【００１２】
本発明は、操作パネルを更に備え、前記第２モニタは、複数のテンプレートから前記操作パネルにより選択された所望のテンプレートとともに、前記画像を表示し、前記操作パネルは選択されたテンプレートに基づいて、確認すべき第２モニタを案内する、撮影システムである。
【００１３】
本発明は、前記撮影手段は連続する複数の画像ショットを作成することができ、
前記第２モニタは、複数のテンプレートから選択された所望のテンプレートとともに前記画像を表示し、前記操作パネルは各ショット毎に確認すべき第２モニタを案内する、撮影システムである。
【００１４】
本発明は、前記第１モニタは、前記撮影手段で撮影している画像を確認のため表示するとともに、操作パネルとして機能する、撮影システムである。
【発明の効果】
【００１５】
本発明によれば、囲い体内の被撮影者が横を向いたり、撮影手段から視線を外すような姿勢をとった場合でも、撮影手段で撮影している画像を容易に確認することができる。
【図面の簡単な説明】
【００１６】
【図１】図１は本実施の形態による撮影システムの外観を示す図。
【図２】図２は撮影システムの機能的構成を示すブロック図。
【図３】図３は筐体内の構成部材の配置状態を示す図。
【図４】図４は撮影システムの作用を示す図。
【図５】図５は撮影システムの撮影作業を示すフローチャート。
【図６】図６（ａ）（ｂ）（ｃ）は、前景と、撮影画像と、後景を示す図。
【図７】図７は合成画像を示す図。
【図８】図８はテンプレート表を示す図。
【発明を実施するための形態】
【００１７】
以下、図面を参照して本発明の実施の形態について説明する。
図１乃至図８は本発明による撮影システムの一実施の形態を示す図である。
【００１８】
図１乃至図８に示すように、撮影システム１は、底板２１と、天板２２と、側板２３とを有する筐体２０と、筐体２０の側板２３の一側内面に設置されたカメラ（撮影手段）１２および投光部３４と、側板２３の一側内面であってカメラ１２の下方に設置された第１モニタ１５と、底板２１上に配置された金属板からなる床面２５とを備えている。ここで、筐体２０は後述する被撮影者Ｐを囲うものであり、囲い体として機能する。囲い体としては、被撮影者Ｐを上下方向および側方全域から囲うものに限らず、前面および後面のみから被撮影者Ｐを囲うものであってもよい。
【００１９】
また底板２１と床面２５との間には図示しない防振装置が介在されている。
【００２０】
次に図３および図４を参照して、筐体２０内の構造について説明する。
【００２１】
筐体２０の側板２３内には、一定の幅をもって垂直方向に延びる第１領域２３Ａと、第１領域２３Ａ以外の第２領域２３Ｂとが形成されている。そして上述したカメラ１２は筐体２０内の第１領域２３Ａに配置され、第１モニタ１５は第１領域２３Ａ内であってカメラ１２の位置と異なるカメラ１２の下方に配置されている。なお、第１モニタ１５を透明モニタから構成し、カメラ１２上にこのモニタ１５をハーフミラーとともに設置しても良い。
【００２２】
さらに第１モニタ１５に加えて、２台の第２モニタ３５Ａ、３５Ｂが筐体２０内の第２領域２３Ｂに設置されている。
【００２３】
このうち、第１モニタ１５は、被撮影者Ｐがカメラ１２に正対している場合、カメラ１２で撮影している画像（撮影画像）を被撮影者Ｐが確認するものであり、かつ第１モニタ１５は被撮影者Ｐが操作するための操作パネルとしても機能する。
【００２４】
また２台の第２モニタ３５Ａ、３５Ｂは被撮影者Ｐが横を向いたり、カメラ１２から視線を外す姿勢をとったときにカメラ１２で撮影している画像を被撮影者Ｐが選択するためのものである。
【００２５】
なお、２台の第２モニタ３５Ａ、３５Ｂは、必ずしも２台設置する必要はなく、例えば１台の第２モニタ３５Ａのみを設置してもよい。
【００２６】
また２台の第２モニタ３５Ａ、３５Ｂは、各々第２領域２３Ｂに固定されているが、第２領域２３Ｂ内で上下方向あるいは横方向に移動可能となっていてもよい。
【００２７】
さらに２台の第２モニタ３５Ａ、３５Ｂは第２領域２３Ｂ内に回動可能に設置されていてもよい。
【００２８】
また、２台の第２モニタ３５Ａ、３５Ｂの双方を、カメラ１２で撮影している画像を被撮影者Ｐが確認するために用いる必要はなく、例えば一方の第２モニタ３５Ａを、カメラ１２で撮影している画像を被撮影者Ｐが確認するためのモニタとして用いるとともに、他方の第２モニタ３５Ｂを他の機能をもつモニタとして用いてもよい。
【００２９】
この場合、他方の第２モニタ３５Ｂには、任意の画像を表示することができ、例えば第２モニタ３５Ｂに操作用のガイダンスを表示してもよい。
【００３０】
上述のように筐体２０の側板２３の一側内面には、カメラ１２、投光部３４、第１モニタ１５および第２モニタ３５Ａ、３５Ｂが設置され、側板２３の一側に対向する他側には、入手した画像から被撮影者の全身を切り抜くクロマキー処理用の背景が設けられている。この場合、クロマキー処理用の背景としては緑色の背景板を用いることができる。
【００３１】
また筐体２０の側板２３の一側には、投光部３４および第１モニタ１５の下方に、検知センサ１３と、キャッシャー３３とが上方から下方に向かって順次配置されている。
【００３２】
また筐体２０の側板２３の外面には、プリンタ１７の取出口１７ａが設けられている。
【００３３】
さらに筐体２０内には、制御部１１、記憶部１６、プリンタ１７、Ｉ／Ｏ（Input/Output）ユニット３１、スピーカ３２が内蔵され、このうち制御部１１により画像処理装置１１Ａが構成される。
【００３４】
なお、上述したカメラ１２は被撮影者Ｐの動画を撮影するためのカメラであり、筐体２０内で被撮影者Ｐの静止画像、又は被撮影者Ｐの動画像を得るようになっている。
【００３５】
図２に示すように、制御部１１は、ＣＰＵ（Central Processing Unit）、ＲＡＭ（Random Access Memory）から構成され、記憶部１６に格納されているシステムプログラムや顔画像撮影処理プログラム、画像処理プログラム等の各種プログラムを読み出してＲＡＭに展開し、当該プログラムに従って各部の動作を集中制御する。そして後述するカメラ１２により撮影された画像ににより、制御部１１は一ショット毎の画像ショットを生成する。
【００３６】
カメラ１２は、光学レンズ、ＣＣＤ（Charge Coupled Device）等の光学センサ、Ａ／Ｄ（Analog/Digital）変換部等から構成され、撮影時には光学レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１に出力する。
【００３７】
検知センサ１３は、画像処理装置１の撮影室内に被撮影者Ｐが入室したことを検知する光学センサ等であり、その検知信号を制御部１１に出力する。
【００３８】
第１モニタ１５は、タッチパネルや、写真種類を選択するための写真種選択スイッチ（以下、ＳＷ）、撮影開始を指示するための撮影ＳＷ、撮影画像のプリント出力を指示するためのプリントＳＷ等の各種機能キーを備えて構成され、操作されたキーに対応する操作信号を制御部１１に出力する。
【００３９】
また第１モニタ１５は、ＬＣＤ（Liquid Crystal Display）等を備えて構成され、制御部１１からの制御信号に従って、撮影手順を説明するガイド画面、写真種類を選択するための選択画面等の各種操作画面を表示する。また第１モニタ１５は被撮影者Ｐがカメラ１２に正対している場合、カメラ１２により撮影された被撮影者Ｐの顔画像等を表示する。
【００４０】
さらに、２台の第２モニタ３５Ａ、３５Ｂは、被撮影者Ｐが横を向いたり、カメラ１２から視線を外す姿勢をとったときにカメラ１２で撮影している画像を表示する。
【００４１】
被撮影者Ｐは第２モニタ３５Ａ、３５Ｂに表示された画像を確認することができる。
【００４２】
記憶部１６は、システムプログラムの他、顔画像撮影処理プログラム、画像処理プログラム等の各種処理プログラム及び各プログラムで処理されたデータ等を記憶する。
【００４３】
プリンタ１７は、制御部１１から入力された画像データに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００４４】
Ｉ／Ｏユニット３１は、制御部１１と、スピーカ３２、キャッシャー３３、投光部３４との間で情報のやり取りを仲介するインターフェイスであり、制御部１１からの制御信号をスピーカ３２、キャッシャー３３、投光部３４に送信するとともに、スピーカ３２、キャッシャー３３、投光部３４からの信号等を制御部１１に出力する。
【００４５】
スピーカ３２は、Ｉ／Ｏユニット３１を介して制御部１１から入力されるガイド用アナウンスの音声信号を出力する。
【００４６】
キャッシャー３３は、硬貨や紙幣の入金口、釣銭の返金口等を備えた金銭登録機である。キャッシャー３３は、入金口から入金された金額を検出して釣銭の金額を算出し、算出された釣銭金額分の硬貨又は紙幣を返金口に排出して料金精算を行う。
【００４７】
投光部３４は、制御部１１から指示された発光タイミング、発光量で発光を行う。
【００４８】
次にこのような構成からなる本実施の形態の作用について図５により説明する。
まず被撮影者Ｐが筐体２０内に入ると、検知センサ１３により被撮影者Ｐが検出される。このとき、第１モニタ１５上にガイダンスが表示される。同時にスピーカ３２から撮影ガイドに係るアナウンス音声が出力される。
【００４９】
次いで、キャッシャー３３へ、料金が投入され、キャッシャー３３において入金された金額のチェックが行われ、第１モニタ１５上に写真種類を選択するための選択画面が表示される。
【００５０】
以下、図５に示すように、第１モニタ１５に表示されたガイダンスに沿って撮影作業が行なわれる。
【００５１】
被撮影者Ｐは第１モニタ１５上で所望のテンプレート（撮影デザイン）を選択する。この場合、記憶部１６内に予め図８に示すようなテンプレート１〜４を含むテンプレート表が内蔵されている。この場合、テンプレート１〜４は画像ショットの数に関する情報を含んでおり、このうちテンプレート１〜３は単一のショット数をもち、テンプレート４は複数のショット数をもつ。
【００５２】
次に被撮影者Ｐは第１モニタ上でテンプレート１〜４のうち、例えばテンプレート１を選択する。
【００５３】
テンプレート１は例えば前景４０ａ（図６（ａ））と、後景４０ｂ（図６（ｃ））とを含み、制御部１１はこれら前景４０ａおよび後景４０ｂと、カメラにより撮影された撮影画像４０ｃとをとを合成して合成画像４１を生成する（図７参照）。
【００５４】
またテンプレート１は単一のショット数をもつ。さらにテンプレート１は被撮影者が右側の第２モニタ３５Ｂを見たときに最適となる前景４０ａおよび後景４０ｂを有している。このため第１モニタ１５は、「右のモニタを見てね」のガイダンスを表示するとともに、スピーカ３２も同様のガイダンスをアナウンスする（図３及び図４参照）。
【００５５】
次に制御部１１により右側の第２モニタ３５Ｂを作動させ、第２モニタ３５Ｂにカメラ１２で撮影している画像が表示される。このとき第２モニタ３５Ｂに表示される画像はカメラ１２に対して横を向いたり、カメラ１２から視線を外す姿勢をとった場合の被撮影者Ｐの画像となり、被撮影者Ｐはこの第２モニタ３５Ｂに表示された自分の画像を確認することができる。
【００５６】
次に制御部１１は、「右のモニタを見てね」のガイダンスの後自動的にシャッタを切って、カメラ１２により撮影された画像から１コマ毎の画像ショットを生成する。
【００５７】
この場合、制御部１１が自動的にシャッタを切ることなく、被撮影者Ｐ自身が第１モニタ１５に表示されたシャッタを切るようにしてもよい。また、画像確認用として使用しない左側の第２モニタ３５Ａに、第１モニタ１５と同様の「左のモニタを見てね」の表示をしてもよい。
【００５８】
このようにしてテンプレート１を選択した場合の撮影作業が終了する。
【００５９】
他方、テンプレート１〜４のうち、テンプレート４を選択した場合は、テンプレート４は複数の画像ショットの数、すなわち画像ショット数をもつため、上述の作業を複数の画像ショットを生成するまで続ける。
【００６０】
以上のように本実施の形態によれば、筐体２０内の被撮影者Ｐが横を向いたり、カメラ１２から視線を外すような姿勢をとった場合でも、カメラ１２で撮影している画像をリアルタイムで容易に確認することができる。
【００６１】
なお、上記実施の形態において、第１モニタ１５を操作パネルとして用いる例を示したが、これに限らず第２モニタ３５Ｂを画像表示用モニタとして用いた場合、画像を表示しない第２モニタ３５Ａを操作パネルとして用いるとともに、第２モニタ３５Ａ上に操作用のシャッタを表示して、このシャッタを切って画像ショットを生成してもよい。
【００６２】
また第１モニタ１５は、被撮影者Ｐがカメラ１２に正対している場合、カメラ１２で撮影した画像を表示するモニタとして用い、被撮影者Ｐがこの第１モニタ１５をみて画像を確認してもよい。
【００６３】
さらにまた被撮影者Ｐがテンプレート４を選択した場合、テンプレート４は複数の画像ショット数をもつことになるが、この場合、各画像ショット毎にどちらの第２モニタ３５Ａ、３５Ｂをみるか更に選択することもできる。
【００６４】
また、複数の画像ショット数をもつテンプレートを選択した場合、各画像ショットの形状が小さい場合は、第２モニタ３５Ａ、３５Ｂに撮影領域のみを拡大して表示してもよい。
【００６５】
さらにまた第２モニタ３５Ｂを画像表示用モニタとして用いた場合、使用していない他の第２モニタ３５Ａを操作パネルとして用いて、第２モニタ３５Ａにガイダンス等を表示してもよい。この場合、第１モニタ１５にデザイン全体の画像を表示するとともに、第２モニタ３５Ｂには撮影領域のみを表示することもできる。
【符号の説明】
【００６６】
１  撮影システム
１１  制御部
１２  カメラ
１３  検知センサ
１５  第１モニタ
１６  記憶部
１７  プリンタ
１７ａ  取出口
２０  筐体
２１  底板
２２  天板
２３  側板
３１  Ｉ／Ｏユニット
３２  スピーカ
３３  キャッシャー
３４  投光部
３５Ａ、３５Ｂ  第２モニタ
【図１】
2018163316.tif 000003
【図２】
2018163316.tif 000004
【図３】
2018163316.tif 000005
【図４】
2018163316.tif 000006
【図５】
2018163316.tif 000007
【図６】
2018163316.tif 000008
【図７】
2018163316.tif 000009
【図８】
2018163316.tif 000010